(57)【要約】【課題】電子辞書装置において、追加インストールした辞書データを、本体内蔵の辞書データに基づいて簡便に辞書検索を行う場合と同じ使い勝手にして利用すること。【解決手段】辞書の種類を個々に表記した各辞書指定キー１７an…と当該各種の内蔵辞書とを対応付けた辞書キー位置テーブル１２ｄに従い、辞書指定キー１７anの単独操作に応じて対応付けられた辞書を呼び出して検索使用する。外部から追加の辞書をインストールした場合には、各追加の辞書を呼び出すためのキー位置をその種類毎に前記内蔵辞書の設定されていた辞書キー位置テーブル１２ｄに優先設定し、代わって前記内蔵辞書を呼び出すためのキー位置をシフトキー１７ｓ操作後の各辞書指定キー１７an…に対応付ける辞書キー（シフト後）位置テーブル１２ｅに変更設定することで、レベルアップされた各種追加の辞書をレベルアップ前の各種内蔵の辞書と同じキー操作で呼び出し検索使用できる。【選択図】      図１
2005165474.tif 000002
【特許請求の範囲】
【請求項１】
複数の辞書キーと、
この複数の辞書キーにそれぞれ対応付けて予め辞書データが内蔵された複数種類の辞書が設定されている辞書キー位置設定手段と、
前記辞書キーの操作に応じて前記辞書キー位置設定手段により当該辞書キーに対応付けられて設定されている種類の辞書の辞書データを表示させる辞書データ表示制御手段と、
追加の辞書データを受信する追加辞書受信手段と、
この追加辞書受信手段により受信された追加の辞書データを記憶する追加辞書記憶手段と、
この追加辞書記憶手段により記憶される追加の辞書データと同じ種類の前記予め内蔵された辞書を検知する同種辞書検知手段と、
この同種辞書検知手段により追加の辞書と同種と検知された内蔵の辞書について、前記辞書キー位置設定手段により設定された前記辞書キーとの対応付けを当該追加の辞書に変更して設定する辞書変更設定手段と、
を備えたことを特徴とする電子辞書装置。
【請求項２】
前記複数の辞書キーにはそれぞれ異なる辞書の種類が表記されてなることを特徴とする請求項１に記載の電子辞書装置。
【請求項３】
さらに、
前記複数の辞書キーにそれぞれ対応する位置に前記辞書キー位置設定手段により各辞書キーに対応付けられた辞書のタイトルを表示させる辞書タイトル表示制御手段を備えたことを特徴とする請求項１または請求項２に記載の電子辞書装置。
【請求項４】
さらに、
前記複数の辞書キーそれぞれの別の機能を指定するための別機能キーと、
この別機能キーにより別の機能が指定された場合の前記辞書キーに対応付けて前記同種辞書検知手段により追加の辞書と同種と検知された内蔵の辞書を設定する別機能辞書キー位置設定手段と、
前記別機能キーにより別の機能が指定された状態での前記辞書キーの操作に応じて、前記追加辞書キー位置設定手段により当該辞書キーに対応付けられて設定された前記内蔵の辞書の辞書データを表示させる別機能辞書データ表示制御手段と、
を備えたことを特徴とする請求項１乃至請求項３の何れか１項に記載の電子辞書装置。
【請求項５】
さらに、
前記別機能キーにより別の機能が指定された場合に、前記別機能辞書キー位置設定手段により設定された辞書キーに対応する位置に当該辞書キーに対応付けられた内蔵の辞書のタイトルを表示させる別機能辞書タイトル表示制御手段を備えたことを特徴とする請求項４に記載の電子辞書装置。
【請求項６】
さらに、
前記別機能辞書キー位置設定手段により設定された前記辞書キーと前記内蔵の辞書との対応付けの位置を任意に変更設定する別機能辞書キー位置変更設定手段を備えたことを特徴とする請求項４または請求項５に記載の電子辞書装置。
【請求項７】
さらに、
メニューキーと、
このメニューキーの操作に応じて辞書データのタイトルを一覧にして表示させる辞書メニュー表示制御手段と、
前記同種辞書検知手段により追加の辞書と同じ種類の内蔵の辞書が検知されない場合に当該追加の辞書を前記辞書メニュー表示制御手段によりタイトル表示すべき一覧表示の配列位置に対応付けて設定するメニュー位置設定手段と、
前記辞書メニュー表示制御手段により一覧表示された辞書データのタイトルが選択された際に、当該選択された一覧表示の配列位置に対応付けられて前記メニュー位置設定手段により設定された追加の辞書の辞書データを表示させるメニュー選択辞書データ表示制御手段と、
を備えたことを特徴とする請求項１乃至請求項６の何れか１項に記載の電子辞書装置。
【請求項８】
さらに、
前記メニュー位置設定手段により設定された前記辞書メニュー表示制御手段による一覧表示の配列位置に対する前記追加の辞書の対応付けの位置を任意に変更設定するメニュー位置変更設定手段を備えたことを特徴とする請求項７に記載の電子辞書装置。
【請求項９】
複数の辞書キーと、
この複数の辞書キーにそれぞれ対応付けて予め辞書データが内蔵された複数種類の辞書が設定されている辞書キー位置設定手段と、
前記辞書キーの操作に応じて前記辞書キー位置設定手段により当該辞書キーに対応付けられて設定されている種類の辞書の辞書データを表示させる辞書データ表示制御手段と、
追加の辞書データを受信する追加辞書受信手段と、
この追加辞書受信手段により受信された追加の辞書データを記憶する追加辞書記憶手段と、
前記辞書キー位置設定手段により複数の辞書キーにそれぞれ対応付けられて設定された内蔵の辞書を前記追加辞書記憶手段により記憶される追加の辞書に変更して設定する辞書変更設定手段と、
メニューキーと、
このメニューキーの操作に応じて辞書データのタイトルを一覧にして表示させる辞書メニュー表示制御手段と、
前記辞書変更設定手段により複数の辞書キーにそれぞれ対応付けられて設定された内蔵の辞書が前記追加の辞書に変更されて設定された場合に、当該内蔵の辞書を前記辞書メニュー表示制御手段によりタイトル表示すべき一覧表示の配列位置に対応付けて設定するメニュー位置設定手段と、
前記辞書メニュー表示制御手段により一覧表示された辞書データのタイトルが選択された際に、当該選択された一覧表示の配列位置に対応付けられて前記メニュー位置設定手段により設定された内蔵の辞書の辞書データを表示させるメニュー選択辞書データ表示制御手段と、
を備えたことを特徴とする電子辞書装置。
【請求項１０】
電子辞書装置のコンピュータを制御するための電子辞書制御プログラムであって、
複数の辞書キーにそれぞれ対応付けて予め辞書データが内蔵された複数種類の辞書が設定される辞書キー位置設定手段、
前記辞書キーの操作に応じて前記辞書キー位置設定手段により当該辞書キーに対応付けられて設定された種類の辞書の辞書データを表示させる辞書データ表示制御手段、
追加の辞書データを受信する追加辞書受信手段、
この追加辞書受信手段により受信された追加の辞書データを記憶する追加辞書記憶手段、
この追加辞書記憶手段により記憶される追加の辞書データと同じ種類の前記予め内蔵された辞書を検知する同種辞書検知手段、
この同種辞書検知手段により追加の辞書と同種と検知された内蔵の辞書について、前記辞書キー位置設定手段により設定された前記辞書キーとの対応付けを当該追加の辞書に変更して設定する辞書変更設定手段、
として機能させるようにしたコンピュータ読み込み可能な電子辞書制御プログラム。
【発明の詳細な説明】
【技術分野】
【０００１】
本発明は、電子データ化した種々の辞書データベースを記憶して各種の言語訳や語句の意味内容などを検索するための電子辞書装置および電子辞書制御プログラムに関する。
【背景技術】
【０００２】
従来から、国語辞典，英和辞典，百科事典などの各種の辞典や辞書を電子データ化してＲＯＭなどの記憶媒体に格納し、これに基づき各種の言語や語句を見出し語として入力し、その訳語や意味内容などを検索して表示するようにした電子辞書装置が広く汎用されている。
【０００３】
そして、近年このような電子辞書装置では、例えばユーザのレベルアップや利用分野の変化などによって新たな辞典，辞書データベースが必要になった場合に、所望の辞書データベースが記録され販売されているＣＤ−ＲＯＭを購入してＰＣ(personal computer)を介し追加インストールしたり、インターネット上に開設されている電子辞書メーカの管理サイトからＰＣを介し所望の辞書データベースをダウンロードにより購入して追加インストールしたりできるようにしている。こうすることで、電子辞書装置それ自体の別機種への買い換えを行わずに済むようにしている。
【０００４】
ここで、電子辞書装置に対して外部から追加インストールされた辞書データベースは、当該電子辞書装置の内部において機能拡張用のメモリ領域や外付けされる拡張メモリなどの追加辞書専用のメモリ領域に格納される。このため、追加した辞書データを利用する場合には、前記追加辞書専用のメモリ領域にアクセスするための特別なキー操作が必要で操作が煩雑となり、本体内蔵の辞書データに基づいて簡便に辞書検索を行う場合と同様の使い勝手が得られない問題がある。
【０００５】
特に、レベルアップに応じた追加の辞書データをインストールして利用できるようになっても、それまでに内蔵の辞書データを読み出すために操作していた辞書指定キーは、依然として当該内蔵の同一の辞書データを読み出すための辞書指定キーとして変化は無く、追加の辞書データを読み出すためにはそれまでの操作と異なる煩雑な操作を行う必要があり、使い勝手が悪かった。
【０００６】
一方、外部データを簡単な操作で取り込み利用できるようにした通信端末装置として、複数のワンタッチキーにそれぞれ対応付けて外部データの取込先であるアクセス先のリンク情報を登録し、ワンタッチのキー操作で対応するアクセス先から外部データをダウンロードして利用することのできる通信端末装置も考えられている（例えば、特許文献１参照。）。
【特許文献１】特開２００３−１６３７８２号公報
【発明の開示】
【発明が解決しようとする課題】
【０００７】
しかしながら、前記特許文献１にある従来の通信端末装置では、ワンタッチキーによるワンタッチ操作によってその場で必要とする外部データをダウンロードして利用することはできるものの、これは一旦端末装置で取り込んで格納した外部データを必要に応じて読み出して利用するというものではない。従って、この通信端末装置のデータダウンロード機能を前記電子辞書装置に適用した場合でも、内蔵されていない辞書データをワンタッチのキー操作でダウンロードして利用できるようになるだけであり、本体内蔵の辞書データに基づいて辞書検索を行う場合と同じ使い勝手にはなり得ないばかりでなく、常にアクセス先との通信を行う通信機能を備えている必要がある。
【０００８】
本発明は、このような課題に鑑みなされたもので、追加インストールした辞書データを、本体内蔵の辞書データに基づいて簡便に辞書検索を行う場合と同じ使い勝手にして利用することが可能になる電子辞書装置および電子辞書制御プログラムを提供することを目的とする。
【課題を解決するための手段】
【０００９】
本発明の請求項１に係る電子辞書装置は、辞書キー位置設定手段によって複数の辞書キーにそれぞれ対応付けられて予め辞書データが内蔵された複数種類の辞書が設定され、辞書データ表示制御手段によって前記辞書キーの操作に応じて当該辞書キーに対応付けられて設定された種類の辞書の辞書データが表示される。そして追加辞書受信手段によって追加の辞書データを受信すると、この追加の辞書データは追加辞書記憶手段によって記憶されると共に、この追加の辞書データと同じ種類の前記予め内蔵された辞書が同種辞書検知手段によって検知される。すると、この同種辞書検知手段により追加の辞書と同種と検知された内蔵の辞書については、辞書変更設定手段によって前記辞書キー位置設定手段により設定された前記辞書キーとの対応付けが当該追加の辞書に変更されて設定される。
【００１０】
これによれば、辞書データの追加後であっても追加前と同じ辞書キー操作によって希望の種類の追加の辞書データを呼び出しその辞書データを表示できることになる。
【００１１】
本発明の請求項２に係る電子辞書装置は、前記請求項１に係る電子辞書装置にあって、前記複数の辞書キーにはそれぞれ異なる辞書の種類が表記される。
【００１２】
これによれば、辞書追加前および辞書追加後の何れであっても、容易に希望の種類の内蔵辞書または追加の辞書を指定できることになる。
【００１３】
本発明の請求項３に係る電子辞書装置は、前記請求項１または請求項２に係る電子辞書装置にあって、さらに、前記複数の辞書キーにそれぞれ対応する位置に前記辞書キー位置設定手段により各辞書キーに対応付けられた辞書のタイトルを表示させる辞書タイトル表示制御手段を備える。
【００１４】
これによれば、複数の辞書キーにそれぞれ対応する位置に当該辞書キーにより指定される内蔵辞書または追加辞書のタイトルを表示して、容易に所望の辞書を指定できることになる。
【００１５】
本発明の請求項４に係る電子辞書装置は、前記請求項１乃至請求項３の何れか１項に係る電子辞書装置にあって、さらに、前記複数の辞書キーそれぞれの別の機能を指定するための別機能キーにより別の機能が指定された場合の当該辞書キーに対応付けられて前記同種辞書検知手段により追加の辞書と同種と検知された内蔵の辞書が別機能辞書キー位置設定手段によって設定される。すると、前記別機能キーにより別の機能が指定された状態での前記辞書キーの操作に応じて、前記追加辞書キー位置設定手段により当該辞書キーに対応付けられて設定された前記内蔵の辞書の辞書データが別機能辞書データ表示制御手段によって表示される。
【００１６】
これによれば、辞書追加前までは内蔵の辞書を指定した辞書キーに対して追加の辞書を対応付けて設定し、当該辞書キー操作によって指定の種類の追加の辞書を呼び出すようにした場合でも、シフトキーなどの別機能キーを組合せるだけの辞書キー操作によって容易に内蔵辞書も呼び出してその辞書情報を表示できることになる。
【００１７】
本発明の請求項５に係る電子辞書装置は、前記請求項４に係る電子辞書装置にあって、さらに、前記別機能キーにより別の機能が指定された場合に、前記別機能辞書キー位置設定手段により設定された辞書キーに対応する位置に当該辞書キーに対応付けられた内蔵の辞書のタイトルを表示させる別機能辞書タイトル表示制御手段を備える。
【００１８】
これによれば、別機能キーにより別機能が指定された状態での複数の辞書キーにそれぞれ対応付けられた内蔵の辞書タイトルを、当該辞書キーの位置に対応付けて容易に確認できることになる。
【００１９】
本発明の請求項６に係る電子辞書装置は、前記請求項４または請求項５に係る電子辞書装置にあって、さらに、前記別機能辞書キー位置設定手段により設定された前記辞書キーと前記内蔵の辞書との対応付けの位置を任意に変更設定する別機能辞書キー位置変更設定手段を備える。
【００２０】
これによれば、シフトキーなどの別機能キーの操作を伴う複数の辞書キーと内蔵の辞書との対応付けの位置をユーザが任意に変更できることになる。
【００２１】
本発明の請求項７に係る電子辞書装置は、前記請求項１乃至請求項６の何れか１項に係る電子辞書装置にあって、さらに、メニューキーの操作に応じて辞書のタイトルが辞書メニュー表示制御手段によって一覧にして表示され、この辞書メニュー表示制御手段によりタイトル表示すべき一覧表示の配列位置は前記同種辞書検知手段により追加の辞書と同じ種類の内蔵の辞書が検知されない場合の当該追加の辞書と対応付けられて設定される。そして、前記辞書メニュー表示制御手段により一覧表示された辞書データのタイトルが選択されると、当該選択された一覧表示の配列位置に対応付けられて設定された追加の辞書の辞書データがメニュー選択辞書データ表示制御手段によって表示される。
【００２２】
これによれば、辞書の追加によって複数の辞書キーに対応付けされなかった異なる種類の追加の辞書データであっても、当該追加辞書のタイトルを配列して一覧表示したメニュー画面から選択して使用できることになる。
【００２３】
本発明の請求項８に係る電子辞書装置は、前記請求項７に係る電子辞書装置にあって、さらに、前記メニュー位置設定手段により設定された前記辞書メニュー表示制御手段による一覧表示の配列位置に対する前記追加の辞書の対応付けの位置を任意に変更設定するメニュー位置変更設定手段を備える。
【００２４】
これによれば、辞書メニュー表示画面上での一覧表示の配列位置と各追加の辞書との対応付けの位置をユーザが任意に変更できることになる。
【００２５】
本発明の請求項９に係る電子辞書装置は、辞書キー位置設定手段によって複数の辞書キーにそれぞれ対応付けられて予め辞書データが内蔵された複数種類の辞書データが設定され、辞書データ表示制御手段によって前記辞書キーの操作に応じて前記辞書キー位置設定手段により当該辞書キーに対応付けられて設定された種類の辞書の辞書データが表示される。追加辞書受信手段によって追加の辞書データを受信し、この受信された追加の辞書データを追加辞書記憶手段によって記憶すると、前記辞書キー位置設定手段により複数の辞書キーにそれぞれ対応付けられて設定された内蔵の辞書が辞書変更設定手段によって当該追加の辞書に変更されて設定されると共に、前記内蔵の辞書データについては、メニューキー操作で辞書データタイトルを一覧表示させる辞書メニュー表示制御手段によりタイトル表示すべき一覧表示の配列位置にメニュー位置設定手段によって対応付けられて設定される。そして、前記辞書メニュー表示制御手段により一覧表示された辞書データのタイトルが選択されると、当該選択された一覧表示の配列位置に対応付けられて前記メニュー位置設定手段により設定された内蔵の辞書の辞書データがメニュー選択辞書データ表示制御手段によって表示される。
【００２６】
これによれば、辞書データの追加後であっても追加前と同じ辞書キー操作によって希望の種類の追加の辞書データを呼び出しその辞書データを表示でき、しかも内蔵の辞書データについても一覧表示のメニュー画面から容易に選択して使用できることになる。
【発明の効果】
【００２７】
本発明の請求項１（請求項１０）に係る電子辞書装置（電子辞書制御プログラム）によれば、辞書データの追加後であっても追加前と同じ辞書キー操作によって希望の種類の追加の辞書データを呼び出しその辞書情報を表示できるようになる。
【００２８】
本発明の請求項２に係る電子辞書装置によれば、前記請求項１に係る電子辞書装置にあって、辞書追加前および辞書追加後の何れであっても、容易に希望の種類の内蔵辞書または追加の辞書を指定できるようになる。
【００２９】
本発明の請求項３に係る電子辞書装置によれば、前記請求項１または請求項２に係る電子辞書装置にあって、さらに、複数の辞書キーにそれぞれ対応する位置に当該辞書キーにより指定される内蔵辞書または追加辞書のタイトルを表示して、容易に所望の辞書を指定できるようになる。
【００３０】
本発明の請求項４に係る電子辞書装置によれば、前記請求項１乃至請求項３の何れか１項に係る電子辞書装置にあって、さらに、辞書追加前までは内蔵の辞書を指定した辞書キーに対して追加の辞書を対応付けて設定し、当該辞書キー操作によって指定の種類の追加の辞書を呼び出すようにした場合でも、シフトキーなどの別機能キーを組合せるだけの辞書キー操作によって容易に内蔵辞書も呼び出してその辞書データを表示できるようになる。
【００３１】
本発明の請求項５に係る電子辞書装置によれば、前記請求項４に係る電子辞書装置にあって、さらに、別機能キーにより別機能が指定された状態での複数の辞書キーにそれぞれ対応付けられた内蔵の辞書タイトルを、当該辞書キーの位置に対応付けて容易に確認できるようになる。
【００３２】
本発明の請求項６に係る電子辞書装置によれば、前記請求項４または請求項５に係る電子辞書装置にあって、さらに、シフトキーなどの別機能キーの操作を伴う複数の辞書キーと内蔵の辞書との対応付けの位置をユーザが任意に変更できるようになる。
【００３３】
本発明の請求項７に係る電子辞書装置によれば、前記請求項１乃至請求項６の何れか１項に係る電子辞書装置にあって、さらに、辞書の追加によって複数の辞書キーに対応付けされなかった異なる種類の追加の辞書データであっても、当該追加辞書のタイトルを配列して一覧表示したメニュー画面から選択して使用できるようになる。
【００３４】
本発明の請求項８に係る電子辞書装置によれば、前記請求項７に係る電子辞書装置にあって、さらに、辞書メニュー表示画面上での一覧表示の配列位置と各追加の辞書との対応付けの位置をユーザが任意に変更できるようになる。
【００３５】
本発明の請求項９に係る電子辞書装置によれば、辞書データの追加後であっても追加前と同じ辞書キー操作によって希望の種類の追加の辞書データを呼び出しその辞書データを表示でき、しかも内蔵の辞書データについても一覧表示のメニュー画面から容易に選択して使用できるようになる。
【００３６】
よって、本発明によれば、追加インストールした辞書データを本体内蔵の辞書データに基づいて簡便に辞書検索を行う場合と同じ使い勝手にして利用することが可能になる電子辞書装置および電子辞書制御プログラムを提供できる。
【発明を実施するための最良の形態】
【００３７】
以下図面により本発明の実施の形態について説明する。
【００３８】
図１は本発明の電子辞書装置の実施形態に係る携帯機器（電子辞書）１０の電子回路の構成を示すブロック図である。
【００３９】
この携帯機器（電子辞書）１０は、以下に説明する電子辞書機能を備えたＰＤＡ(personal digital assistants)として構成されるか、電子辞書専用の携帯機器として構成される。この携帯機器（電子辞書）１０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００４０】
ＣＰＵ１１は、メモリ１２内に予め記憶された装置制御プログラム、あるいはＣＤ−ＲＯＭなどの外部記録媒体１３から記録媒体読取部１４を介して前記メモリ１２に読み込まれた装置制御プログラム、あるいはインターネットＮ上のＷｅｂサーバ（この場合はプログラムサーバ）から電送制御部１５を介して前記メモリ１２に読み込まれた装置制御プログラム、あるいは同インターネットＮ上のＷｅｂサーバ（プログラムサーバ）からユーザＰＣ(personal computer)３０および通信部１６を介して前記メモリ１２に読み込まれた装置制御プログラムに応じて、回路各部の動作を制御するもので、前記メモリ１２に記憶された装置制御プログラムは、キーやタッチパネルからなる入力部１７からのユーザ操作に応じた入力信号、あるいは電送制御部１５や通信部１６（ユーザＰＣ３０）を介して接続されるインターネットＮ上の各Ｗｅｂサーバ２０…との通信信号に応じて起動される。
【００４１】
前記ＣＰＵ１１には、前記メモリ１２、記録媒体読取部１４、電送制御部１５、通信部１６、入力部１７が接続される他に、ＬＣＤからなる表示部１８などが接続される。
【００４２】
メモリ１２には、当該携帯機器（電子辞書）１０の全体の動作を司るシステムプログラムや電送制御部１５（通信部１６）を介してインターネットＮ上の各Ｗｅｂサーバ２０…とデータ通信するための通信プログラムが記憶される他に、新たに必要な辞書データを辞書管理サーバ２０からダウンロードしたり、ＣＤ−ＲＯＭ（記録媒体）１３から読み取ったりして取り込み、内蔵の辞書データ（１２ｃ）を使用する場合と同様の使い勝手に設定するための辞書追加処理プログラム１２ａ、内蔵の辞書データ（１２ｃ）および追加の辞書データ（１２ｇ）に基づき見出し語入力に応じた訳語や意味内容などの各種検索処理を行うための検索処理プログラム１２ｂが記憶される。
【００４３】
また、このメモリ１２には、内蔵辞書データメモリ１２ｃ、辞書キー位置テーブル１２ｄ、辞書キー（シフト後）位置テーブル１２ｅ、メニュー位置テーブル１２ｆ、追加辞書データメモリ１２ｇ、ワークエリア１２ｈが用意され、さらに個人情報メモリ１２ｉ、電子辞書追加情報メモリ１２ｊなどが用意される。
【００４４】
内蔵辞書データメモリ１２ｃには、例えばこの携帯機器（電子辞書）１０の購入者層に応じたレベルの国語辞典や英和辞典など、各種の辞書データが予め記憶されて内蔵されるもので、例えば中学生レベルを購入者層とする場合には、国語は「学習国語辞典」、百科は「ものしり百科事典」、漢和は「マンガ漢字辞典」、英和は「初級英和辞典」、和英は「ジュニアー和英辞典」などとされる。
【００４５】
辞書キー位置テーブル１２ｄには、この携帯機器（電子辞書）１０の入力部１７に設けられ各種の辞書の種類を表記した辞書指定キー「国語」１７a1〜「和英」１７a5（図１１・図１２参照）について、当該キー操作により直接種類指定して検索対象辞書として使用される辞書名が対応付けられて記憶される。
【００４６】
図３は前記携帯機器（電子辞書）１０のメモリ１２にて管理される辞書キー位置テーブル１２ｄの一例を示す図であり、同図（Ａ）は追加の辞書が無い状態での辞書キー位置テーブル１２ｄを示す図、同図（Ｂ）は追加の辞書が有る状態での辞書キー位置テーブル１２ｄを示す図である。
【００４７】
すなわち、内蔵辞書データメモリ１２ｃに予め記憶内蔵された各辞書データの内容が前述の通りである場合には、図３（Ａ）に示すように、辞書キー位置テーブル１２ｄにおいて、辞書指定キー「国語」１７a1には「学習国語辞典」、辞書指定キー「百科」１７a2には「ものしり百科事典」、辞書指定キー「漢和」１７a3には「マンガ漢字辞典」、辞書指定キー「英和」１７a4には「初級英和辞典」、辞書指定キー「和英」１７a5には「ジュニアー和英辞典」がそれぞれ対応付けられて設定される。
【００４８】
一方、例えばユーザが中学生レベルから高校生レベルにレベルアップするのに伴い、辞書管理サーバ２０からのダウンロードあるいはＣＤ−ＲＯＭ（外部記録媒体）１３からの読み込みにより追加辞書データメモリ１２ｇに記憶された各追加辞書データの内容が、国語は「○辞苑」、百科は「（なし）」、漢和は「大漢字辞典」、英和は「ジ○ニアス英和辞典」、和英は「クラウ○和英辞典」、その他「英語類語辞典」「ＩＴ用語辞典」である場合には、図３（Ｂ）に示すように、辞書キー位置テーブル１２ｄに対しては、辞書指定キー「国語」１７a1には「○辞苑」、辞書指定キー「百科」１７a2には「ものしり百科事典（変更なし）」、辞書指定キー「漢和」１７a3には「大漢字辞典」、辞書指定キー「英和」１７a4には「ジ○ニアス英和辞典」、辞書指定キー「和英」１７a5には「クラウ○和英辞典」がそれぞれ対応付けられて変更設定される。
【００４９】
この辞書キー位置テーブル１２ｄにおいて、各種の辞書指定キー１７a1〜１７a5に対応付けられないその他の追加の辞書データ「英語類語辞典」「ＩＴ用語辞典」については、後述するメニュー位置テーブル１２ｆ（図５参照）において辞書選択メニュー画面Ｍ（図１３参照）にて表示選択可能な辞書として設定される。
【００５０】
この場合、前記辞書の種類を指定する各辞書指定キー１７anを今まで同様の感覚で操作することで、レベルアップした各追加の辞書データを直接利用できることになる。
【００５１】
なお、この辞書キー位置テーブル１２ｄにおける各辞書指定キー１７a1〜１７a5と各辞書データとの対応付けの位置は、ユーザ操作により任意に変更設定可能である（図９（Ａ）（Ａ１）参照）。
【００５２】
辞書キー（シフト後）位置テーブル１２ｅには、この携帯機器（電子辞書）１０の入力部１７に設けられた各辞書指定キー「国語」１７a1〜「和英」１７a5およびシフトキー１７ｓ（図１１・図１２参照）について、当該シフトキー１７ｓの操作によるシフト機能状態での各辞書指定キー「国語」１７a1〜「和英」１７a5のキー操作によりシフト指定した同種の検索対象辞書として使用される辞書名が対応付けられて記憶される。
【００５３】
図４は前記携帯機器（電子辞書）１０のメモリ１２にて管理される辞書キー（シフト後）位置テーブル１２ｅの一例を示す図であり、同図（Ａ）は追加の辞書が無い状態でのシフト後位置テーブル１２ｅを示す図、同図（Ｂ）は追加の辞書が有る状態でのシフト後位置テーブル１２ｅを示す図である。
【００５４】
すなわち、内蔵辞書データメモリ１２ｃに予め記憶内蔵された各辞書データの内容が前述の通りであり、また追加辞書データメモリ１２ｇに何の追加の辞書データも記憶されてない場合には、図４（Ａ）に示すように、辞書キー（シフト後）位置テーブル１２ｅには、シフト＋辞書指定キー「国語」１７a1〜「和英」１７a5の何れの位置にも何も辞書は設定されない。
【００５５】
一方、例えばユーザが中学生レベルから高校生レベルにレベルアップするのに伴い、前述したとおりの各追加の辞書データ（国語「○辞苑」：百科「（なし）」：漢和「大漢字辞典」：英和「ジ○ニアス英和辞典」：和英「クラウ○和英辞典」：その他「英語類語辞典」「ＩＴ用語辞典」）がインストールされて追加辞書データメモリ１２ｇに記憶され、当該各追加の辞書データが前記図３（Ｂ）で示したように辞書キー位置テーブル１２ｄにて各辞書指定キー「国語」１７a1〜「和英」１７a5に対応付けられて設定された場合には、図３（Ａ）で示したように、辞書追加前まで同辞書キー位置テーブル１２ｄにてキー位置設定されていた各内蔵辞書データの内容が、図４（Ｂ）に示すように、この辞書キー（シフト後）位置テーブル１２ｅにおいて、シフト＋辞書指定キー「国語」１７ｓ＋１７a1には「学習国語辞典」、シフト＋辞書指定キー「漢和」１７ｓ＋１７a3には「マンガ漢字辞典」、シフト＋辞書指定キー「英和」１７ｓ＋１７a4には「初級英和辞典」、シフト＋辞書指定キー「和英」１７ｓ＋１７a5には「ジュニアー和英辞典」としてそれぞれ対応付けられて移行設定される。
【００５６】
なお、この辞書キー（シフト後）位置テーブル１２ｅにおける各辞書指定キー１７a1〜１７a5と各辞書データとの対応付けの位置も、ユーザ操作により任意に変更設定可能である（図９（Ａ）（Ａ１）参照）。
【００５７】
メニュー位置テーブル１２ｆには、この携帯機器（電子辞書）１０の入力部１７に設けられたメニューキー１７ｍ（図１１・図１２参照）の操作に伴う辞書選択メニュー画面Ｍ（図１３参照）について、当該辞書選択メニュー画面Ｍ内でカーソル指定して検索対象辞書として使用される辞書名が対応付けられて記憶される。
【００５８】
図５は前記携帯機器（電子辞書）１０のメモリ１２にて管理されるメニュー位置テーブル１２ｆの一例を示す図であり、同図（Ａ）は追加の辞書が無い状態でのメニュー位置テーブル１２ｆを示す図、同図（Ｂ）は追加の辞書が有る状態でのメニュー位置テーブル１２ｆを示す図である。
【００５９】
すなわち、内蔵辞書データメモリ１２ｃに予め記憶内蔵された各辞書データの内容が前述の通りであり、また追加辞書データメモリ１２ｇに何の追加の辞書データも記憶されてない場合には、図５（Ａ）に示すように、メニュー位置テーブル１２ｆには、その何れの辞書選択位置にも何も辞書は設定されない。
【００６０】
一方、例えばユーザが中学生レベルから高校生レベルにレベルアップするのに伴い、追加辞書データメモリ１２ｇにインストールされた各追加の辞書データの内容が前述の通り６辞書（「○辞苑」〜「ＩＴ用語辞典」）であり、そのうちの「英語類語辞典」「ＩＴ用語辞典」について辞書指定キー１７anで指定する辞書の種類に属さない場合には、図５（Ｂ）に示すように、メニュー位置テーブル１２ｆにおいて、メニューキー１７ｍ（図１１・図１２参照）の操作に伴い表示される辞書選択メニュー画面Ｍには、「[A]英語類語辞典」「[B]ＩＴ用語辞典」が順次配列されて設定される。
【００６１】
なお、このメニュー位置テーブル１２ｆによる辞書選択メニュー画面Ｍ上での各辞書データの配列位置は、ユーザ操作により任意に変更設定可能である（図９（Ｂ）参照）。
【００６２】
追加辞書データメモリ１２ｇには、本携帯機器（電子辞書）１０の購入後に、例えばユーザのレベルアップに伴い、辞書管理サーバ２０からのダウンロードあるいはＣＤ−ＲＯＭ（外部記録媒体）１３からの読み込みにより得られた各追加の辞書データが記憶されるもので、前述した通り、例えばユーザが中学生レベルから高校生レベルにレベルアップした場合の各追加の辞書データの内容は、国語「○辞苑」、百科「なし」、漢和「大漢字辞典」、英和「ジ○ニアス英和辞典」、和英「クラウ○和英辞典」、その他「英語類語辞典」「ＩＴ用語辞典」とされる。
【００６３】
ワークエリア１２ｈには、前記辞書追加処理プログラム１２ａや検索処理プログラム１２ｂなどの各種の装置制御処理プログラムに従いＣＰＵ１１に入出力される種々のデータが必要に応じて記憶される。
【００６４】
個人情報メモリ１２ｉには、通信ネットワーク（インターネット）Ｎ上の各Ｗｅｂサーバ２０…との通信に伴う電子商取引において通知を要するユーザの銀行口座番号・認証ＩＤなどが記憶登録される。
【００６５】
電子辞書追加情報メモリ１２ｊには、前記辞書追加処理プログラム１２ａに従った辞書追加処理に伴い辞書管理サーバ２０から通知される当該携帯機器（電子機器）１０に対する追加可能な辞書タイトルとその辞書データの容量・価格などの情報が記憶される（図８（Ｂ）参照）。
【００６６】
図２は前記携帯機器（電子辞書）１０での辞書追加処理に伴い通信ネットワーク（インターネット）Ｎを介してアクセスされる辞書管理サーバ２０の電子回路の構成を示すブロック図である。
【００６７】
この辞書管理サーバ２０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００６８】
ＣＰＵ２１は、メモリ２２内に予め記憶されたサーバ制御プログラム２２ａ、あるいはＣＤ−ＲＯＭなどの外部記録媒体２３から記録媒体読取部２４を介して前記メモリ２２に読み込まれたサーバ制御プログラム２２ａ、あるいはインターネットＮ上の他のＷｅｂサーバ（この場合はプログラムサーバ）から電送制御部２５を介して前記メモリ２２に読み込まれたサーバ制御プログラム２２ａに応じて、回路各部の動作を制御するもので、前記メモリ２２に記憶されたサーバ制御プログラム２２ａは、電送制御部２５から通信ネットワーク（インターネット）Ｎを介して接続される携帯機器（電子辞書）１０やユーザＰＣ３０、他のＷｅｂサーバとの通信信号に応じて起動される。
【００６９】
前記ＣＰＵ２１には、前記メモリ２２、記録媒体読取部２４、電送制御部２５が接続される他に、入力部２６、ＬＣＤからなる表示部２７などが接続される。
【００７０】
そして、メモリ２２内のサーバ制御プログラム２２ａとしては、当該辞書管理サーバ２０の全体の動作を司るシステムプログラム、電送制御部２５を介してインターネットＮ上の各通信端末(携帯機器（電子辞書）１０、ユーザＰＣ３０、他のＷｅｂサーバなど）とデータ通信するための通信プログラムが記憶される他に、前記インターネットＮ上の携帯機器（電子辞書）１０とのアクセスに伴い追加辞書の情報を提供し、要求された追加の辞書データをダウンロードするためのサーバ用辞書追加処理プログラムなどが記憶される。
【００７１】
また、メモリ２２には、「国語」「百科」「漢和」「英和」「和英」「その他」など、種類別にした複数レベルの各辞書データが記憶される種類別辞書データベース２２ｂが備えられ、さらに、各辞書情報メモリ２２ｃ、顧客端末別購入情報メモリ２２d1，２２d2，…が備えられる。
【００７２】
各辞書情報メモリ２２ｃには、前記種類別辞書データベース２２ｂに記憶された各辞書データのタイトル別に、その収容語数、使用用途、対象ユーザレベル、データ容量、販売価格、推薦情報などが記憶される。
【００７３】
顧客端末別購入情報メモリ２２d1，２２d2，…には、この辞書管理サーバ２０とのアクセスに伴い辞書追加処理が実施された各携帯機器（電子辞書）１０毎の内蔵辞書タイトル２２dn1、追加辞書タイトル２２dn2、ユーザ個人情報２２dn3、請求価格２２dn4が記憶される。
【００７４】
次に、前記構成の携帯機器（電子辞書）１０および辞書管理サーバ２０それぞれの動作について説明する。
【００７５】
図６は前記携帯機器（電子辞書）１０と辞書管理サーバ２０との間で実施される辞書追加処理を示すフローチャートであり、同図（Ａ）は携帯機器（電子辞書）１０側の辞書追加処理を示すフローチャート、同図（Ｂ）は辞書管理サーバ２０側の辞書追加処理を示すフローチャートである。
【００７６】
図７は前記携帯機器（電子辞書）１０と辞書管理サーバ２０との間で実施される辞書追加処理に伴う追加辞書のキー位置設定処理を示すフローチャートであり、同図（Ａ）は携帯機器（電子辞書）１０側のキー位置設定処理を示すフローチャート、同図（Ｂ）は辞書管理サーバ２０側のキー位置設定処理を示すフローチャートである。
【００７７】
図８は前記携帯機器（電子辞書）１０での辞書追加処理に伴う表示動作を示す図であり、同図（Ａ）は「学習国語辞典」での見出し語入力画面Ｇ１を示す図、同図（Ｂ）は追加辞書購入選択画面Ｇ２を示す図である。
【００７８】
図９は前記携帯機器（電子辞書）１０の辞書追加処理に伴うキー位置設定処理での表示動作を示す図であり、同図（Ａ）は辞書指定キー位置設定画面Ｇ３を示す図、同図（Ｂ）は辞書指定キー優先のキー位置設定である場合のメニュー位置設定画面Ｇｍを示す図、同図（Ｃ）は辞書選択メニュー対象のキー位置設定である場合のメニュー位置設定画面Ｇｍを示す図である。
【００７９】
携帯機器（電子辞書）１０において、例えば図８（Ａ）に示すように、辞書指定キー「国語辞典」１７a1を操作すると、辞書キー位置テーブル１２ｄ（図３（Ａ）参照）にて対応付けられた「学習国語辞典」の辞書データに基づく見出し語入力画面Ｇ１が表示される。
【００８０】
ここで、「シフト」キー１７ｓと「メニュー」キー１７ｍの操作により、辞書管理サーバ２０への通信開始が指示されると（ステップＡ１）、通信部１６からユーザＰＣ３０経由での接続か、または電送制御部１５からの直接接続かが判断される（ステップＡ２）。
【００８１】
ここで、通信部１６を介しＵＳＢ（Universal Serial Bus）ケーブルによってユーザＰＣ３０との接続が検知された場合には、当該ユーザＰＣ３０との通信接続処理が行われインターネットＮ上の辞書管理サーバ２０にアクセスされる（ステップＡ３）。また、通信カードなどを使用した電送制御部１５の接続が検知された場合には、当該電送制御部１５を介して直接インターネットＮ上の辞書管理サーバ２０に接続されアクセスされる（ステップＡ４）。
【００８２】
すると、内蔵辞書データメモリ１２ｃに記憶されている内蔵された各辞書データおよび追加辞書データメモリ１２ｇに既に追加されて記憶されている各辞書データが有る場合にはその追加の辞書データも含め、現在内蔵中の各辞書データのタイトルと追加辞書データメモリ１２ｇにおいて追加記憶可能な空き容量とが辞書管理サーバ２０へ送信される（ステップＡ５）。
【００８３】
辞書管理サーバ２０において、前記携帯機器（電子辞書）１０からの接続が検知されると（ステップＢ１）、当該携帯機器（電子辞書）１０において送信された現在内蔵中の各辞書データのタイトルと追加記憶可能なメモリ空き容量とが受信され、顧客端末別購入情報メモリ２２dnに記憶される（ステップＢ２）。
【００８４】
すると、この顧客端末別購入情報メモリ２２dnに記憶されたアクセス中の携帯機器（電子辞書）１０の内蔵中の各辞書以外でそのメモリ空き容量に応じて追加可能な各辞書データのタイトルが、各辞書情報メモリ２２ｃに記憶されている個々の辞書データそれぞれの情報に基づき「国語辞書」「百科辞典」「漢和辞書」などの種類別に抽出される（ステップＢ３）。そして、前記携帯機器（電子辞書）１０における各内蔵辞書のタイトルと共に、前記抽出された各追加可能辞書のタイトルおよびその容量／価格情報が携帯機器（電子辞書）１０へ送信される（ステップＢ４）。
【００８５】
携帯機器（電子辞書）１０では、前記辞書管理サーバ２０から送信された当該携帯機器１０の各内蔵辞書タイトル、そして各追加可能辞書のタイトルおよびその容量／価格情報が受信されると、図８（Ｂ）に示すように、左エリアに現在内蔵中の種類別の辞書タイトル、右エリアに各追加可能辞書のタイトルを同種類別にそのデータ容量／価格と共に表配列にした追加辞書購入選択画面Ｇ２が表示される（ステップＡ６）。
【００８６】
このように、追加辞書購入選択画面Ｇ２が表示部１８に表示された状態で、カーソルキー１７ｋおよび「訳／決定」キー１７ｙの操作により所望の追加可能辞書がユーザ選択されて指定され、反転表示などにより識別表示されると、この識別表示された追加購入対象辞書それぞれのデータ容量／価格から、残りのメモリ空き容量（残容量）および合計購入価格が計算され、「残量／金額計」の欄に表示される（ステップＡ７）。
【００８７】
そして、ユーザ所望の追加の辞書が選択識別表示された状態で「訳／決定」キー１７ｙの操作により追加辞書の購入の決定が行われると、図９（Ａ）に示すように、辞書指定キー位置設定画面Ｇ３が表示される。この辞書指定キー位置設定画面Ｇ３において、入力部１７における英数キーの操作によりユーザのクレジット番号が入力されると、前記選択決定された追加の辞書タイトル及び合計購入金額と共に、入力されたユーザのクレジット番号は辞書管理サーバ２０へ送信され（ステップＡ８）、図７（Ａ）における追加辞書のキー位置設定処理に移行される（ステップＡＣ）。
【００８８】
辞書管理サーバ２０において、前記携帯機器（電子辞書）１０から送信された追加要求の各種辞書タイトル及び合計購入金額、クレジット番号が受信されると、アクセス中の携帯機器１０に対応する顧客端末別購入情報メモリ２２dnに記憶されているユーザ個人情報２２dn3に基づき、受信されたクレジット番号が認証され（ステップＢ５）、図７（Ｂ）における追加辞書のキー位置設定処理に移行される（ステップＢＤ）。
【００８９】
なお、本実施形態において、携帯機器（電子辞書）１０のユーザは、例えば中学生レベルから高校生レベルへの移行段階にあるものとし、内蔵辞書データメモリ１２ｃには、例えば「学習国語辞典」「ものしり百科事典」「マンガ漢和辞典」「初級英和辞典」「ジュニアー和英辞典」が各内蔵辞書として記憶されている。そして、辞書キー位置テーブル１２ｄには、図３（Ａ）で示したように、各辞書指定キー「国語」１７a1〜「和英」１７a5に対応した辞書として前記各内蔵辞書「学習国語辞典」〜「ジュニアー和英辞典」が設定され、辞書キー（シフト後）位置テーブル１２ｅは、図４（Ａ）で示したように、未設定となっている。
【００９０】
さらに、メニュー位置テーブル１２ｆも、図５（Ａ）で示したように、未設定となっている。
【００９１】
そして、今回の辞書追加処理における高校生レベルへの移行に伴う追加の辞書としては、「国語」「百科」「漢和」「英和」「和英」「その他」の各種類において「○辞苑」「（選択なし）」「大漢字辞典」「ジ○ニアス英和辞典」「クラウ○和英辞典」「英語類語辞典」「ＩＴ用語事典」が選択指定されたものとする。
【００９２】
図７に示す追加辞書のキー位置設定処理が起動されると、前記指定の追加辞書を呼び出すための操作位置を、辞書選択メニュー画面Ｍ（図１３参照）上のみとするか、又は辞書指定キー１７anの位置優先とするかが、例えば前記図９（Ａ）で示した辞書指定キー位置設定画面Ｇ３上での項目選択に応じて判断される（ステップＣ１）。
【００９３】
ここで、辞書指定キー１７anに優先的に対応付けた追加辞書の位置設定であると判断されると、前記追加辞書のうちで先頭の辞書「○辞苑」が指定され（ステップＣ１→Ｃ２）、その辞書の種類が「国語」であることが検知される（ステップＣ３）。
【００９４】
すると、この「国語」の種類の内蔵辞書が有るか否か判断され（ステップＣ４）、この場合には、「国語」の内蔵辞書として「学習国語事典」があると判断され、この内蔵辞書「学習国語事典」が対応付けられて設定されている辞書キー位置テーブル１２ｄ（図３（Ａ）参照）の辞書指定キー「国語」１７a1の位置に、図３（Ｂ）に示すように、前記追加の辞書「○辞苑」が対応付けられて変更設定される（ステップＣ４→Ｃ５）。
【００９５】
そして、前記辞書追加前まで辞書キー位置テーブル１２ｄ（図３（Ａ）参照）の辞書指定キー「国語」１７a1に対応付けられて設定されていた内蔵の辞書「学習国語事典」のキー位置は、図４（Ｂ）に示すように、辞書キー（シフト後）位置テーブル１２ｅにおける「国語」のシフト後設定位置に変更設定される（ステップＣ６）。
【００９６】
すると、次の追加辞書「大漢字辞典」が指定され（ステップＣ８）、その辞書の種類が「漢和」であることが検知される（ステップＣ３）。
【００９７】
すると、この「漢和」の種類の内蔵辞書が有るか否か判断され（ステップＣ４）、この場合には、「漢和」の内蔵辞書として「マンガ漢字辞典」があると判断され、この内蔵辞書「マンガ漢字辞典」が対応付けられて設定されている辞書キー位置テーブル１２ｄ（図３（Ａ）参照）の辞書指定キー「漢和」１７a3の位置に、図３（Ｂ）に示すように、前記追加の辞書「大漢字辞典」が対応付けられて変更設定される（ステップＣ４→Ｃ５）。
【００９８】
そして、前記辞書追加前まで辞書キー位置テーブル１２ｄ（図３（Ａ）参照）の辞書指定キー「漢和」１７a3に対応付けられて設定されていた内蔵の辞書「マンガ漢字辞典」のキー位置は、図４（Ｂ）に示すように、辞書キー（シフト後）位置テーブル１２ｅにおける「漢和」のシフト後設定位置に変更設定される（ステップＣ６）。
【００９９】
すると、さらに次の追加辞書「ジ○ニアス英和辞典」が指定され（ステップＣ８）、その辞書の種類が「英和」であることが検知される（ステップＣ３）。
【０１００】
すると、この「英和」の種類の内蔵辞書が有るか否か判断され（ステップＣ４）、この場合には、「英和」の内蔵辞書として「初級英和辞典」があると判断され、この内蔵辞書「初級英和辞典」が対応付けられて設定されている辞書キー位置テーブル１２ｄ（図３（Ａ）参照）の辞書指定キー「英和」１７a4の位置に、図３（Ｂ）に示すように、前記追加の辞書「ジ○ニアス英和辞典」が対応付けられて変更設定される（ステップＣ４→Ｃ５）。
【０１０１】
そして、前記辞書追加前まで辞書キー位置テーブル１２ｄ（図３（Ａ）参照）の辞書指定キー「英和」１７a4に対応付けられて設定されていた内蔵の辞書「初級英和辞典」のキー位置は、図４（Ｂ）に示すように、辞書キー（シフト後）位置テーブル１２ｅにおける「英和」のシフト後設定位置に変更設定される（ステップＣ６）。
【０１０２】
すると、さらに次の追加辞書「クラウ○和英辞典」が指定され（ステップＣ８）、その辞書の種類が「和英」であることが検知される（ステップＣ３）。
【０１０３】
この後、前記ステップＣ３〜Ｃ８における処理が同様に繰り返されることで、前記追加辞書「クラウ○和英辞典」のキー位置は、図３（Ｂ）に示すように、辞書キー位置テーブル１２ｄにおける「和英」のキー位置に設定され（ステップＣ３〜Ｃ５）、また、当該辞書キー位置テーブル１２ｄにおける「和英」のキー位置に設定されていた内蔵の辞書「ジュニアー和英辞典」のキー位置は、図４（Ｂ）に示すように、辞書キー（シフト後）位置テーブル１２ｅにおける「和英」のシフト後設定位置に変更設定される（ステップＣ６）。
【０１０４】
この後、さらに次の追加辞書「英語類語辞典」「ＩＴ用語事典」が順次指定され（ステップＣ８）、その辞書の種類が「その他」であることが検知され（ステップＣ３）、何れも同種の内蔵辞書が存在しないと判断された場合には（ステップＣ４）、図５（Ｂ）に示すように、当該追加辞書「英語類語辞典」「ＩＴ用語事典」を呼び出すためのキー位置は、図５（Ｂ）に示すように、メニュー位置テーブル１２ｆの空きエリア[A][B]に設定される（ステップＣ７）。
【０１０５】
そして、ステップＣ８において、キー位置が未設定である次の追加辞書無しと判断されると、図９（Ａ）で示した辞書指定キー位置設定画面Ｇ３において、前記辞書キー位置テーブル１２ｄに基づきキー位置が設定された各辞書指定キー「国語」１７a1〜「和英」１７a5と各追加の辞書との対応位置（ノーマル：Ｈ）、および前記辞書キー（シフト後）位置テーブル１２ｅに基づきシフト機能を伴うキー位置が設定された各辞書指定キー「国語」１７a1〜「和英」１７a5と各内蔵の辞書との対応位置（シフト後：Ｈｓ）をそれぞれ任意に変更設定可能な状態になる（ステップＣ９）。
【０１０６】
例えば、図９（Ａ１）に示すように、各辞書指定キー「国語」１７a1〜「和英」１７a5に対応表示された各内蔵辞書の表示位置（シフト後：Ｈｓ）を、所望の位置変更を行いたい各辞書表示エリア間（「学習国語辞典」と「マンガ漢字辞典」間）でカーソルキー１７ｋ及びスーパージャンプキー１７ｊを操作して入れ替え、「訳／決定」キー１７ｙを操作することで、適宜更新されて表示される（ステップＣ９）。
【０１０７】
また、「次ページ」キー１７puの操作に応じて、図９（Ｂ）で示したメニュー位置設定画面Ｇｍが表示され、このメニュー位置設定画面Ｇｍにおいて表示された各辞書の配列位置は、所望の位置変更を行いたい各辞書表示位置間でカーソルキー１７ｋ及びスーパージャンプキー１７ｊを操作することで入れ替えられ、「訳／決定」キー１７ｙを操作することで更新されて表示される（ステップＣ９）。
【０１０８】
すると、前記辞書指定キー位置設定画面Ｇ３での辞書表示位置の変更に伴い前記辞書キー位置テーブル１２ｄ（図３（Ｂ）参照）上および辞書キー（シフト後）位置テーブル１２ｅ（図４（Ｂ）参照）上での入れ替え対象辞書（例えば「学習国語辞典」と「マンガ漢字辞典」）の位置が変更設定され、メモリ１２にインストールされる（ステップ１０）。
【０１０９】
一方、前記ステップＣ１における辞書指定キー位置設定画面Ｇ３（図９（Ａ）参照）上での項目選択に応じて、辞書選択メニュー画面Ｍ（図１３参照）を対象とする追加辞書の位置設定であると判断されると、当該６つの追加辞書「○辞苑」〜「ＩＴ用語事典」を呼び出すためのキー位置は、図９（Ｃ）に示すように、メニュー位置テーブル１２ｆの空きエリア[A]〜[F]に順次設定され、メニュー位置設定画面Ｇｍとして表示される（ステップＣ１→Ｃ１１）。
【０１１０】
このメニュー位置設定画面Ｇｍにおいて表示された各辞書の配列位置は、所望の位置変更を行いたい各辞書表示位置間でカーソルキー１７ｋ及びスーパージャンプキー１７ｊを操作することで入れ替えられ、「訳／決定」キー１７ｙを操作することで更新されて表示される（ステップＣ９）。
【０１１１】
すると、前記メニュー位置設定画面Ｇｍ上での表示配列位置の変更に伴い前記メニュー位置テーブル１２ｆ（図５（Ｂ）参照）上での入れ替え対象辞書の位置が変更設定され、メモリ１２にインストールされる（ステップＣ１０）。
【０１１２】
すなわち、選択購入された追加の各辞書を呼び出すためのキー位置は、それまで内蔵の各辞書が対応付けられて設定されていた各辞書指定キー１７a1〜１７a5の種類毎に新たに対応付けられて設定され、代わって前記内蔵の各辞書を呼び出すためのキー位置は、シフト機能を伴う各辞書指定キー１７a1〜１７a5に対応付けられて設定されると共に、辞書指定キー１７anの種類にはない追加の辞書については辞書選択メニュー画面Ｍ（図１３参照）上の空きエリアに順次設定されるもので（ステップＣ１→Ｃ８）、前記辞書指定キー１７a1〜１７a5のそれぞれに対応する追加辞書のキー位置および内蔵辞書のシフト後のキー位置や辞書選択メニュー画面Ｍ（図１３参照）上での追加辞書の配列表示位置は、ユーザの希望により適宜変更されて更新表示され（ステップＣ９）、辞書キー位置テーブル１２ｄおよび辞書キー（シフト後）位置テーブル１２ｅやメニュー位置テーブル１２ｆに更新設定されてインストールされる（ステップＣ１０）。
【０１１３】
このような、追加辞書のキー位置設定処理（ステップＡＣ／ＢＤ）によって、各追加の辞書およびそれまでの各内蔵辞書それぞれを呼び出すためのキー位置が、例えば図３（Ｂ），図４（Ｂ），図５（Ｂ）で示したように、辞書キー位置テーブル１２ｄ，辞書キー（シフト後）位置テーブル１２ｅ，メニュー位置テーブル１２ｆとして更新設定されると、辞書管理サーバ２０の顧客端末別購入情報メモリ２２dnに記憶されているアクセス先の携帯機器（電子辞書）１０に対応する追加辞書情報２２dn2に従い、購入対象である各追加の辞書データが種類別辞書データベース２２ｂから読出され、当該アクセス先の携帯機器（電子辞書）１０へ送信される（ステップＢ６）。
【０１１４】
すると、携帯機器（電子辞書）１０では、前記辞書管理サーバ２０から送信された各追加の辞書データが受信され、メモリ１２内の追加辞書データメモリ１２ｇにインストールされる（ステップＡ９）。
【０１１５】
なお、携帯機器（電子機器）１０での追加辞書のキー位置設定およびその設定位置の変更による更新表示に伴い、当該携帯機器（電子機器）１０自らが辞書キー位置テーブル１２ｄ，辞書キー（シフト後）位置テーブル１２ｅ，メニュー位置テーブル１２ｆの更新設定処理を行わない場合には、前記ステップＣ９におけるシフト機能を伴わない各辞書指定キー１７a1〜１７a5およびシフト機能を伴う各辞書指定キー１７a1〜１７a5と各辞書との対応付けの更新表示情報、およびメニュー位置設定画面Ｇｍでの各辞書の配列の更新表示情報は、辞書管理サーバ２０へ送信される（ステップＣ１０′）。
【０１１６】
すると、辞書管理サーバ２０では、前記携帯機器（電子辞書）１０から受信されたシフト機能を伴わない各辞書指定キー１７a1〜１７a5およびシフト機能を伴う各辞書指定キー１７a1〜１７a5と各辞書との対応付けの更新表示情報、およびメニュー位置設定画面Ｇｍでの各辞書の配列の更新表示情報に従い、これに対応した辞書キー位置テーブル１２ｄ，辞書キー（シフト後）位置テーブル１２ｅおよびメニュー位置テーブル１２ｆを作成する（ステップＤ１０′）。
【０１１７】
そして、顧客端末別購入情報メモリ２２dnに記憶されているアクセス先の携帯機器（電子辞書）１０に対応する追加辞書情報２２dn2に従い、購入対象である各追加の辞書データを種類別辞書データベース２２ｂから読出し、前記更新作成された辞書キー位置テーブル１２ｄ，辞書キー（シフト後）位置テーブル１２ｅおよびメニュー位置テーブル１２ｆと共に当該アクセス先の携帯機器（電子辞書）１０へ送信する（ステップＢ６）。
【０１１８】
すると、携帯機器（電子辞書）１０では、前記辞書管理サーバ２０から送信された更新後の辞書キー位置テーブル１２ｄ，辞書キー（シフト後）位置テーブル１２ｅおよびメニュー位置テーブル１２ｆが受信されてメモリ１２内の対応エリアにインストールされ、また各追加の辞書データが受信されてメモリ１２内の追加辞書データメモリ１２ｇにインストールされる（ステップＡ９）。
【０１１９】
これにより、携帯機器（電子辞書）１０では、前記追加辞書購入選択画面Ｇ２（図８（Ｂ）参照）において選択指定した各追加の辞書データ「○辞苑」「大漢字辞典」「ジ○ニアス英和辞典」「クラウ○和英辞典」「英語類語辞典」「○○ＩＴ用語事典」が、辞書管理サーバ２０からダウンロードされてメモリ１２内の追加辞書データメモリ１２ｇにインストールされた状態になるのと共に、当該各追加の辞書をそれまでの各内蔵辞書と同様のキー操作により呼び出して使用するための辞書キー位置テーブル１２ｄ（図３（Ｂ）参照）が設定され、前記辞書指定キー位置設定画面Ｇ３（図９（Ａ）参照）でのユーザ任意の変更操作に応じて更新設定された状態となる。
【０１２０】
図１０は前記携帯機器（電子辞書）１０による辞書表示処理を示すフローチャートである。
【０１２１】
図１１は前記携帯機器（電子辞書）１０での辞書表示処理に伴う追加辞書インストール前の各辞書呼び出しのためのキー位置状態を示す図である。
【０１２２】
図１２は前記携帯機器（電子辞書）１０での辞書表示処理に伴う追加辞書インストール後の各辞書呼び出しのためのキー位置状態を示す図である。
【０１２３】
図１３は前記携帯機器（電子辞書）１０での辞書表示処理に伴う追加辞書インストール前後の辞書選択メニュー画面Ｍを対比して示す図であり、同図（Ａ）は追加辞書インストール前の辞書選択メニュー画面Ｍを示す図、同図（Ｂ）は追加辞書インストール後の辞書選択メニュー画面Ｍを示す図である。
【０１２４】
辞書データを使用した各種用語の訳語検索や内容検索などを行う場合に、辞書表示処理が起動されると、追加辞書データメモリ１２ｇ内に追加の辞書データがインストールされて記憶されているか否か、つまり追加の辞書が有るか否か判断される（ステップＥ１）。
【０１２５】
ここで、追加の辞書無しと判断された場合には、通常の辞書表示処理に移行され、辞書指定キー１７anの操作に応じて辞書キー位置テーブル１２ｄ（図３（Ａ）参照）が参照され、内蔵辞書データメモリ１２ｃに記憶されている各種内蔵辞書の中の所望の種類の辞書データが呼び出され、検索対象である見出し語の入力表示状態となる。
【０１２６】
例えば図１１の（１）に示すように、内蔵辞書データ１２ｃとして「国語：学習国語辞典」「百科：ものしり百科事典」「漢和：マンガ漢和辞典」「英和：初級英和辞典」「和英：ジュニアー和英辞典」が予め記憶されている追加辞書インストール前の携帯機器（電子辞書）１０にあっては、辞書キー位置テーブル１２ｄ（図３（Ａ）参照）に基づき各辞書指定キー１７a1〜１７a5の対応位置に辞書メニューＨが表示される。この辞書メニューＨに応じて所望の辞書「学習国語辞典」の辞書指定キー「国語」１７a1を操作すると、当該指定の内蔵辞書データ「学習国語辞典」が読み出され、これに従った見出し語入力画面Ｇ１の表示状態となる。
【０１２７】
なお、図１１（２）に示すように、シフトキー１７ｓを操作すると、辞書キー（シフト後）位置テーブル１２ｅ（図４（Ａ）参照）に基づき各辞書指定キー１７anそれぞれの位置に対応した辞書表示エリアを有するシフト後辞書メニューＨｓが、前記図１１（１）で示した辞書メニューＨに代わって表示部１８の下段に沿って表示される。
【０１２８】
この場合、本実施形態における追加辞書インストール前のシフト後辞書メニューＨｓでは、辞書キー（シフト後）位置テーブル１２ｅ（図４（Ａ）参照）には何の内蔵辞書の設定もないので、「メニュー」キー１７ｍの対応位置にのみ当該キー１７ｍによるシフト後機能である「通信機能」と表示される。
【０１２９】
また、メニューキー１７ｍを操作すると、図１３（Ａ）に示すように、メニュー位置テーブル１２ｆ（図５（Ａ）参照）に従った順序で各内蔵辞書のタイトルが配列された辞書選択メニュー画面Ｍが表示されるが、本実施形態における追加辞書インストール前の辞書選択メニュー画面Ｍでは、メニュー位置テーブル１２ｆ（図５（Ａ）参照）には何の内蔵辞書の設定もないので、空欄のままで表示される。
【０１３０】
なお、この辞書選択メニュー画面Ｍにおいて内蔵辞書タイトルの表示がある場合に、カーソルキー１７ｋを操作して所望の辞書タイトルを指定すると、当該指定の内蔵辞書データが読み出されて見出し語入力画面Ｇ１の表示状態となる。
【０１３１】
一方、前記ステップＥ１において、追加辞書データメモリ１２ｇ内に追加の辞書データがインストールされて記憶されていると判断された場合には、メニューキー１７ｍの操作検出状態であるか（ステップＥ２(Yes)）、またはシフトキー１７ｓの操作検出状態であるか（ステップＥ３(Yes)）が判断される。
【０１３２】
ここで、前記メニューキー１７ｍおよびシフトキー１７ｓの何れのキー検出も無いと判断されると、図１２の（１）に示すように、辞書キー位置テーブル１２ｄ（図３（Ｂ）参照）に従い各辞書指定キー「国語」１７a1〜「和英」１７a5それぞれの位置に対応した種類の追加辞書中心の辞書タイトル表示エリアを有する辞書メニューＨが表示部１８の下段に沿って表示される（ステップＥ２→Ｅ３→Ｅ４）。
【０１３３】
ここで、例えば辞書指定キー「国語辞典」１７a1を操作すると、当該辞書指定キー「国語辞典」１７a1の操作位置に対応するところの辞書メニューＨ上に表示されている追加辞書の辞書データ「○辞苑」が読出され、その見出し語入力画面Ｇ１の表示状態となる（ステップＥ６→Ｅ７）。
【０１３４】
また、追加の辞書がインストールされている場合に、シフトキー１７ｓの操作が検知判断された場合には、図１１の（２）に示すように、辞書キー（シフト後）位置テーブル１２ｅ（図４（Ｂ）参照）に従い各辞書指定キー「国語」１７a1〜「和英」１７a5それぞれの位置に対応した種類の内蔵辞書タイトルの表示エリアを有するシフト後辞書メニューＨｓが表示部１８の下段に沿って表示される（ステップＥ３→Ｅ８）。
【０１３５】
このシフト後辞書メニューＨｓの表示に合わせて、例えば辞書指定キー「国語辞典」１７a1を操作すると、当該辞書指定キー「国語辞典」１７a1の操作位置に対応するところのシフト後辞書メニューＨｓ上に表示されている内蔵辞書の辞書データ「学習国語辞典」が読出され、その見出し語入力画面Ｇ１の表示状態となる（ステップＥ１０→Ｅ１１）。
【０１３６】
また、追加の辞書がインストールされている場合に、メニューキー１７ｍの操作が検知判断された場合には（ステップＥ２／Ｅ５／Ｅ９）、図１３（Ｂ）に示すように、追加辞書によるキー位置設定後のメニュー位置テーブル１２ｆ（図５（Ｂ）参照）に従った順序で各追加辞書のタイトルが配列された辞書選択メニュー画面Ｍが表示される（ステップＥ１２）。
【０１３７】
そして、この辞書選択メニュー画面Ｍにおいて、カーソルキー１７ｋを操作して所望の辞書タイトルを選択指定することで、当該指定の辞書データが読み出されて見出し語入力画面Ｇ１の表示状態となる（ステップＥ１３→Ｅ１４）。
【０１３８】
そして、前記辞書指定キー１７anの直接操作に応じた辞書データの読出しに伴う見出し語入力画面Ｇ１、または前記シフトキー１７ｓ操作後の辞書指定キー１７anの操作に応じた辞書データの読出しに伴う見出し語入力画面Ｇ１、または辞書選択メニュー画面Ｍ上での選択操作に応じた辞書データの読出しに伴う見出し語入力画面Ｇ１において、検索対象となる見出し語を文字入力すると（ステップＥ１６）、これにより入力された見出し語の文字列が前記読み出された辞書データから検索され、その見出し語に対応する訳語や意味内容等の対応情報が表示される（ステップＥ１７）。
【０１３９】
この場合、前記各内蔵の辞書データ１２ｃを辞書指定キー１７anやシフトキー１７ｓ，メニューキー１７ｍを使用して選択的に呼び出して辞書検索処理を行う場合と、各追加の辞書データ１２ｇを同辞書指定キー１７anやシフトキー１７ｓ，メニューキー１７ｍを使用して選択的に呼び出して辞書検索処理を行う場合とで、そのキー操作の手順ややり方は全く変わらず、しかも追加辞書のキー位置はそれまで内蔵辞書のキー位置であった辞書指定キー１７anのダイレクト操作に対応付けられて優先的に設定されるので、追加辞書のインストール後であっても、同インストール前と同じ使い勝手で、レベルアップした所望の辞書データを使用した検索処理が行えるようになる。
【０１４０】
したがって、前記構成の携帯機器（電子辞書）１０における辞書追加機能によれば、辞書の種類を個々に表記した各辞書指定キー１７an…と当該各種類の内蔵辞書データとを対応付けた辞書キー位置テーブル１２ｄおよびシフトキー１７ｓ操作後の各辞書指定キー１７an…と各種類の内蔵辞書データとを対応付けた辞書キー（シフト後）位置テーブル１２ｅに従い、辞書指定キー１７anの単独操作やシフトキー１７ｓ＋辞書指定キー１７anの組み合わせ操作に応じて対応付けられた辞書データを呼び出して検索使用すると共に、メニュー位置テーブル１２ｆによって各内蔵辞書を配列した辞書選択メニュー画面Ｍに従い当該メニュー画面Ｍにて選択した辞書データを呼び出して検索使用する。そして、外部から追加の辞書データをインストールした場合には、各追加の辞書を呼び出すためのキー位置をその種類毎に前記内蔵辞書の設定されていた辞書キー位置テーブル１２ｄに優先設定すると共に、辞書指定キー１７anに種類のない追加の辞書は前記メニュー位置テーブル１２ｆの空きエリアに配列設定し、代わって前記内蔵辞書を呼び出すためのキー位置を辞書キー（シフト後）位置テーブル１２ｅに変更設定することで、前記辞書指定キー１７anのダイレクト操作によって各追加の辞書データを優先的に呼び出すようにしたので、レベルアップされた各種追加の辞書データをレベルアップ前の各種内蔵の辞書データと同じキー操作によって呼び出し検索使用することができる。
【０１４１】
また、前記構成の携帯機器（電子辞書）１０における辞書追加機能によれば、辞書キー位置テーブル１２ｄおよび辞書キー（シフト後）位置テーブル１２ｅによって設定される各辞書指定キー１７an…に対する追加および内蔵の各辞書データの対応付けの位置は、辞書指定キー位置設定画面Ｇ３において辞書同士の入れ替えにより変更して設定でき、またメニュー位置テーブル１２ｄによって設定される辞書選択メニュー画面Ｍ上での各辞書データの配列位置も、メニュー位置設定画面Ｇｍにおいて辞書同士の入れ替えにより変更して設定できるので、各辞書の使用頻度や重要度など、ユーザ固有の使用条件に合わせた辞書のキー位置を設定できるようになる。
【０１４２】
なお、前記実施形態の携帯機器（電子辞書）１０では、追加の辞書データをインストールした場合に、当該各追加の辞書データのキー位置を、それまで内蔵の辞書データのキー位置として設定されていた辞書キー位置テーブル１２ｄに対して各辞書指定キー「国語」１７a1〜「和英」１７a5の種類と対応付けて設定し、代わって各内蔵の辞書データについてはシフトキー１７ｓとの組合せにより機能させるための辞書キー（シフト後）位置テーブル１２ｅに対して変更設定する構成としたが、次に説明するように、追加の辞書データをインストールしそのキー位置を辞書指定キー１７anのダイレクト操作とするために辞書キー位置テーブル１２ｄに設定した場合には、それまで当該テーブル１２ｄに設定されていた各内蔵の辞書データについては一括してメニュー位置テーブル１２ｆに設定し、辞書選択メニュー画面Ｍ上で選択指定して呼び出す構成としてもよい。
【０１４３】
図１４は前記携帯機器（電子辞書）１０において各辞書指定キー１７an…のそれぞれに内蔵の辞書が対応付けられている場合のキー入力パネルおよび追加辞書インストール前の辞書選択メニュー画面Ｍを示す図である。
【０１４４】
図１５は前記携帯機器（電子辞書）１０において各辞書指定キー１７an…のそれぞれに追加の辞書が対応付けられている場合のキー入力パネルおよび追加辞書インストール後の辞書選択メニュー画面Ｍを示す図である。
【０１４５】
すなわち、図１４に示すように、携帯機器（電子辞書）１０において、追加辞書インストール前の状態では、各内蔵の辞書データである「学習国語辞典」「ものしり百科事典」「マンガ漢字辞典」「初級英和辞典」「ジュニアー和英辞典」をそれぞれ呼び出すためのキー位置は、図３（Ａ）で示したように、辞書キー位置テーブル１２ｄにおいて各辞書指定キー「国語」１７a1〜「和英」１７a5の種類に対応付けられて設定されている。
【０１４６】
これによれば、例えば辞書指定キー「国語」１７a1を操作すると前記辞書キー位置テーブル１２ｄ（図３（Ａ）参照）に従い「学習国語辞典」の辞書データが読み出され、その見出し語入力画面Ｇ１が表示される。
【０１４７】
そして、図１５に示すように、追加辞書インストール後の状態では、各追加の辞書データである「○辞苑」「マイ百科事典」「大漢字辞典」「ジ○ニアス英和辞典」「クラウ○和英辞典」をそれぞれ呼び出すためのキー位置は、図３（Ｂ）で示したように、辞書キー位置テーブル１２ｄにおいて各辞書指定キー「国語」１７a1〜「和英」１７a5の種類に対応付けられて設定され、代わって当該辞書キー位置テーブル１２ｄにおいてそれまでキー位置設定されていた前記各内蔵の辞書データ「学習国語辞典」〜「ジュニアー和英辞典」については、メニュー位置テーブル１２ｆにおいて辞書選択メニュー画面Ｍ上での各辞書配列位置に対応付けられて設定される。
【０１４８】
これによれば、前記追加辞書のインストール後は、例えば辞書指定キー「国語」１７a1を操作すると前記辞書キー位置テーブル１２ｄ（図３（Ｂ）参照）に従い「○辞苑」の辞書データが読み出され、その見出し語入力画面Ｇ１が表示される。また、メニューキー１７ｍを操作すると前記メニュー位置テーブル１２ｆに従い辞書選択メニュー画面Ｍ上に各内蔵辞書データのタイトルが配列表示され、所望の内蔵辞書を選択指定することで当該指定の内蔵辞書の辞書データが読み出され、その見出し語入力画面Ｇ１が表示される。
【０１４９】
したがって、ユーザのレベルアップに伴い各種の追加の辞書データをインストールした場合でも、追加辞書インストール前と同じ各辞書指定キー「国語」１７a1〜「和英」１７a5の指定操作に応じて当該指定の種類の追加の辞書データを呼び出し使用することができ、しかもメニューキー１７ｍの操作に応じた辞書選択メニュー画面Ｍ上での選択操作に応じて当該選択された内蔵の辞書データを呼び出し使用することができるので、追加辞書インストール前と同じ使い勝手で必然的にレベルアップした追加の辞書を利用できるようになる。
【０１５０】
なお、前記各実施形態において記載した携帯機器（電子辞書）１０および辞書管理サーバ２０による各処理の手法、すなわち、図６のフローチャートに示す辞書追加処理、図７のフローチャートに示す当該辞書追加処理に伴う追加辞書のキー位置設定処理、図１０のフローチャートに示す辞書表示処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３（２３）に格納して配布することができる。そして、通信ネットワーク（インターネット）Ｎとの通信機能を備えた種々のコンピュータ端末は、この外部記録媒体１３（２３）に記憶されたプログラムを記録媒体読取部１４（２４）によってメモリ１２（２２）に読み込み、この読み込んだプログラムによって動作が制御されることにより、前記実施形態において説明した辞書追加機能を実現し、前述した手法による同様の処理を実行することができる。
【０１５１】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末（プログラムサーバ）から前記のプログラムデータを取り込み、前述した辞書追加機能を実現することもできる。
【０１５２】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【０１５３】
【図１】本発明の電子辞書装置の実施形態に係る携帯機器（電子辞書）１０の電子回路の構成を示すブロック図。
【図２】前記携帯機器（電子辞書）１０での辞書追加処理に伴い通信ネットワーク（インターネット）Ｎを介してアクセスされる辞書管理サーバ２０の電子回路の構成を示すブロック図。
【図３】前記携帯機器（電子辞書）１０のメモリ１２にて管理される辞書キー位置テーブル１２ｄの一例を示す図であり、同図（Ａ）は追加の辞書が無い状態での辞書キー位置テーブル１２ｄを示す図、同図（Ｂ）は追加の辞書が有る状態での辞書キー位置テーブル１２ｄを示す図。
【図４】前記携帯機器（電子辞書）１０のメモリ１２にて管理される辞書キー（シフト後）位置テーブル１２ｅの一例を示す図であり、同図（Ａ）は追加の辞書が無い状態でのシフト後位置テーブル１２ｅを示す図、同図（Ｂ）は追加の辞書が有る状態でのシフト後位置テーブル１２ｅを示す図。
【図５】前記携帯機器（電子辞書）１０のメモリ１２にて管理されるメニュー位置テーブル１２ｆの一例を示す図であり、同図（Ａ）は追加の辞書が無い状態でのメニュー位置テーブル１２ｆを示す図、同図（Ｂ）は追加の辞書が有る状態でのメニュー位置テーブル１２ｆを示す図。
【図６】前記携帯機器（電子辞書）１０と辞書管理サーバ２０との間で実施される辞書追加処理を示すフローチャートであり、同図（Ａ）は携帯機器（電子辞書）１０側の辞書追加処理を示すフローチャート、同図（Ｂ）は辞書管理サーバ２０側の辞書追加処理を示すフローチャート。
【図７】前記携帯機器（電子辞書）１０と辞書管理サーバ２０との間で実施される辞書追加処理に伴う追加辞書のキー位置設定処理を示すフローチャートであり、同図（Ａ）は携帯機器（電子辞書）１０側のキー位置設定処理を示すフローチャート、同図（Ｂ）は辞書管理サーバ２０側のキー位置設定処理を示すフローチャート。
【図８】前記携帯機器（電子辞書）１０での辞書追加処理に伴う表示動作を示す図であり、同図（Ａ）は「学習国語辞典」での見出し語入力画面Ｇ１を示す図、同図（Ｂ）は追加辞書購入選択画面Ｇ２を示す図。
【図９】前記携帯機器（電子辞書）１０の辞書追加処理に伴うキー位置設定処理での表示動作を示す図であり、同図（Ａ）は辞書指定キー位置設定画面Ｇ３を示す図、同図（Ｂ）は辞書指定キー優先のキー位置設定である場合のメニュー位置設定画面Ｇｍを示す図、同図（Ｃ）は辞書選択メニュー対象のキー位置設定である場合のメニュー位置設定画面Ｇｍを示す図。
【図１０】前記携帯機器（電子辞書）１０による辞書表示処理を示すフローチャート。
【図１１】前記携帯機器（電子辞書）１０での辞書表示処理に伴う追加辞書インストール前の各辞書呼び出しのためのキー位置状態を示す図。
【図１２】前記携帯機器（電子辞書）１０での辞書表示処理に伴う追加辞書インストール後の各辞書呼び出しのためのキー位置状態を示す図。
【図１３】前記携帯機器（電子辞書）１０での辞書表示処理に伴う追加辞書インストール前後の辞書選択メニュー画面Ｍを対比して示す図であり、同図（Ａ）は追加辞書インストール前の辞書選択メニュー画面Ｍを示す図、同図（Ｂ）は追加辞書インストール後の辞書選択メニュー画面Ｍを示す図。
【図１４】前記携帯機器（電子辞書）１０において各辞書指定キー１７an…のそれぞれに内蔵の辞書が対応付けられている場合のキー入力パネルおよび追加辞書インストール前の辞書選択メニュー画面Ｍを示す図。
【図１５】前記携帯機器（電子辞書）１０において各辞書指定キー１７an…のそれぞれに追加の辞書が対応付けられている場合のキー入力パネルおよび追加辞書インストール後の辞書選択メニュー画面Ｍを示す図。
【符号の説明】
【０１５４】
１０  …携帯機器（電子辞書）
２０  …辞書管理サーバ
１１、２１…ＣＰＵ
１２、２２…メモリ
１２ａ…辞書追加プログラム
１２ｂ…辞書検索プログラム
１２ｃ…内蔵辞書データメモリ
１２ｄ…辞書キー位置テーブル
１２ｅ…辞書キー（シフト後）位置テーブル
１２ｆ…メニュー位置テーブル
１２ｇ…追加辞書データメモリ
１２ｈ…ワークエリア
１２ｉ…個人情報メモリ
１２ｊ…電子辞書追加情報メモリ
２２ａ…サーバプログラム
２２ｂ…種類別辞書データベース
２２ｃ…各辞書情報メモリ
２２dn…顧客端末別購入情報メモリ
２２dn1…内蔵辞書タイトル
２２dn2…追加辞書タイトル
２２dn3…ユーザ個人情報
２２dn4…請求価格
１３、２３…外部記録媒体
１４、２４…記録媒体読取部
１５、２５…電送制御部
１６  …通信部
１７、２６…入力部
１７an…辞書指定キー
１７ｓ…シフトキー
１７ｍ…メニューキー
１８、２７…表示部
３０  …ユーザＰＣ
Ｎ  …通信ネットワーク（インターネット）
Ｈ  …辞書メニュー
Ｈｓ…シフト後辞書メニュー
【図１】
2005165474.tif 000003
【図２】
2005165474.tif 000004
【図３】
2005165474.tif 000005
【図４】
2005165474.tif 000006
【図５】
2005165474.tif 000007
【図６】
2005165474.tif 000008
【図７】
2005165474.tif 000009
【図８】
2005165474.tif 000010
【図９】
2005165474.tif 000011
【図１０】
2005165474.tif 000012
【図１１】
2005165474.tif 000013
【図１２】
2005165474.tif 000014
【図１３】
2005165474.tif 000015
【図１４】
2005165474.tif 000016
【図１５】
2005165474.tif 000017